(57)【要約】【課題】  ジョギング動作の動作ロス及び時間ロスを少なくした両面給紙装置を提供することを目的とする。【解決手段】  転写紙２は、逆転コロ４、反転両面排出ローラ５及び搬送ローラ９により新たな画像形成処理のために搬送される。この搬送に際し、一対の誘導コロ７を有するジョガーフェンス８は、転写紙２の規定幅に対する幅方向の開閉が可動とされ、この転写紙２の位置を規制する。再給紙開始の所定の時間前に誘導コロ７を有するジョガーフェンス８を閉め、且つ再給紙開始の所定の時間後に誘導コロ７を有するジョガーフェンス８を開くことにより、転写紙２を揃える。【選択図】図３
2005089083.tif 000002
【特許請求の範囲】
【請求項１】
一方の面に画像が形成された転写紙を再給紙し、前記転写紙の他方の面に画像を形成する両面給紙装置において、往復道する給紙ベルト上に配置され、前記転写紙の位置を規制する誘導コロを設ける共に前記転写紙の紙幅方向にその間隔を可変に構成された一対のジョガーフェンスと、前記ジョガーフェンスを前記転写紙の規定幅に対して広げる開動作と、前記規定幅に対して狭める閉動作とをさせる駆動手段と、前記駆動手段を制御して前記再給紙開始の第１の所定時間前に前記ジョガーフェンスを開動作し、且つ再給紙開始の第２の所定時間後に前記ジョガーフェンスを閉動作する駆動制御手段とを備えたことを特徴とする両面給紙装置。
【請求項２】
前記制御手段はジョガーフェンスを開動作させた後、さらに第３の所定時間後に前記ジョガーフェンスを閉動作させることを特徴とする請求項１記載の両面給紙装置。
【請求項３】
前記制御手段の第３の所定時間は、給紙方向の前記転写紙の長さに応じて設定されることを特徴とする請求項１および２記載の両面給紙装置。
【請求項４】
前記誘導コロは、ジョガーフェンスの再給紙側端部であって、転写紙搬入時のみに前記転写紙を案内し、転写紙搬出時には転写紙に接触しない位置に前記給紙ベルトから間隔を開けて配置されていることを特徴とする請求項１ないし請求項３記載の両面給紙装置。
【請求項５】
前記請求項１ないし請求項４の両面給紙装置を備えたことを特徴とする画像形成装置。
【発明の詳細な説明】
【技術分野】
【０００１】
本発明は、複写機等の両面給紙装および画像形成装置に係り、特に一方の面に画像が形成された転写紙を再給紙し、前記転写紙の他方の面に画像を形成する両面給紙装置および画像形成装置に関する。
【背景技術】
【０００２】
従来、複写機等の画像形成装置に適用される両面給紙装置は、一旦片面に画像形成をした転写紙を反転して再度画像形成する処理を行うため、その幅方向の位置を正確に配置して画像形成処理手段に搬送する必要がある。このため、両面給紙装置には、転写紙の幅方向の位置規制を行うジョガーフェンスを設けるようにしている。
このジョガーフェンスは、その間隔を調整可能な１対の立壁を転写紙搬入時には転写紙幅より十分な余裕分を持つ幅まで開き、転写紙停止後に転写紙幅分まで閉めるというジョギング動作を行い、その後再転写処理のための再給紙を行うようにしている。
【発明の開示】
【発明が解決しようとする課題】
【０００３】
しかしながら、前記ジョガーフェンスを転写紙幅より十分な余裕分を持つ幅まで開き、転写紙停止後に転写紙幅までジョガーフェンスを閉めるジョギング動作は、紙詰まり防止のため、十分な余裕を持った距離を移動させるため、動作ロスひいては時間ロスが発生するという問題があった。
【０００４】
本発明は、ジョギング動作の動作ロス及び時間ロスを少なくした両面給紙装置を提供することを目的とする。
【課題を解決するための手段】
【０００５】
請求項１の発明は、一方の面に画像が形成された転写紙を再給紙し、前記転写紙の他方の面に画像を形成する両面給紙装置において、前記転写紙の位置を規制する誘導コロを設ける共に前記転写紙の紙幅方向にその間隔を可変に構成された一対のジョガーフェンスと、前記ジョガーフェンスを前記転写紙の規定幅に対して広げる開動作と、前記規定幅に対して狭める閉動作とをさせる駆動手段と、前記駆動手段を制御して前記再給紙開始の第１の所定時間前に前記ジョガーフェンスの間隔を狭め、且つ再給紙開始の第２の所定時間後に前記ジョガーフェンスの間隔を広げる駆動制御手段とを備えた、両面給紙装置である。
【０００６】
請求項２の発明は、前記制御手段はジョガーフェンスの間隔を広げた後、さらに第３の所定時間後に前記ジョガーフェンスの間隔を狭める、請求項１記載の両面給紙装置である。
【０００７】
請求項３の発明は、前記制御手段の第３の所定時間は、給紙方向の前記転写紙の長さに応じて設定される、請求項１および２記載の両面給紙装置である。
【０００８】
請求項４の発明は、前記誘導コロは、ジョガーフェンスの再給紙側端部であって、転写紙搬入時のみに前記転写紙を案内し、転写紙搬出時には転写紙に接触しない位置に前記給紙ベルトから間隔を開けて配置されている請求項１ないし請求項３記載の両面給紙装置である。
請求項５の発明は、前記請求項１ないし請求項４の両面給紙装置を備えた、画像形成装置である。
【発明の効果】
【０００９】
本発明の両面給紙装置および画像形成装置によれば、ジョガーフェンスに誘導コロを設ける他開閉動を所定の間隔を持って行うようにしたから、再給紙において転写紙が位置規制され正しい向きで再給紙され、再給紙時にスキュー等の不具合の発生を防止し、ジョギング動作の動作ロス及び時間ロスを低減することができるという効果を奏する。
【発明を実施するための最良の形態】
【００１０】
以下本発明を実施するための最良の形態を図１ないし図５に示す実施例に基づいて説明する。
【実施例１】
【００１１】
図１は実施例に係る両面給紙装置の転写紙搬入時の状態を示す両面給紙装置の断面図、図２は実施例に係る両面給紙装置の転写紙搬出時の状態を示す両面給紙装置の断面図、図３は実施例に係る両面給紙装置を示す平面図である。
【００１２】
本実施例の両面給紙装置は、転写紙２を反転両面ユニットへ搬送する反転両面搬入ローラ１と、反転たたきコロ３と、逆転コロ４と、反転両面排出ローラ５と、分岐爪６と、転写紙２の幅方向を規制する誘導コロ７を有するジョガーフェンス８と、搬送ローラ９と、反転両面排出コロ１０と、反転両面搬入コロ１１と、搬送ベルト１２とを有して構成される。
【００１３】
本例において、反転両面搬入ローラ１は、反転両面搬入コロ１１と共に片面の画像形成処理が完了した転写紙２を反転両面ユニットに搬送する。反転たたきコロ３は、揺動アーム１３の先端部にゴム製の回転コロ１４が設けられ、他方の先端部が軸受１５で軸支され、回転コロ１４が軸受１５を中心に揺動運動し、転写紙２を転送ベルト１２に押し付ける。
【００１４】
逆転コロ４は、反転両面排出ローラ５へ誘導するためのものであり、反転両面排出ローラ５は、搬送ベルト１２を駆動して片面の画像形成が完了した転写紙２を、他方の面への画像形成のために、分岐爪６を介して所定の順序でフィードする。
【００１５】
ジョガーフェンス８はその給排紙側端部に誘導コロ７を備え、２本一対で構成され、転写紙２の幅方向の位置を規制する。
【００１６】
本例では、ジョガーフェンス８の誘導コロ７は糸巻き型であり、図１および図２に示すように、転写紙搬入時のみに前記転写紙２を案内し（図１）、転写紙搬出時には転写紙に接触しない位置（図２）に前記給紙ベルト１２から間隔ｄを開けて配置されている。
【００１７】
このジョガーフェンス８は駆動手段２０に内蔵された移動モータにより、転写紙幅位置から僅かな寸法Ｄだけジョギング動作を行う。
【００１８】
また、駆動手段２０は、シークエンサー等の駆動制御手段３０でその駆動タイミングが制御されている。
【００１９】
また、搬送ローラ９は、転写紙２を画像形成のために搬送ベルト１２を順次搬送するものであり、転写紙２は、搬送ベルト１２により新たな画像形成処理のために搬送される。
【００２０】
次に、本実施例に係る画像形成装置の動作を説明する。図１の状態において、反転両面搬入ローラ１から排紙された一方の表面へ画像形成済の転写紙２は、反転両面装置に搬送される。転写紙２の幅方向は、誘導コロ７を有するジョガーフェンス８が転写紙２の規定幅より僅かな分だけジョギング動作をすることにより揃えられる（図３）。次に一方の表面へ画像形成済の転写紙２は時計方向に回転する逆転コロ４により反転部へ搬送される（図２）。
【００２１】
この反転転送装置の駆動制御手段３０の駆動制御について図４および図５に基づき説明する。図４はジョガーフェンスの動作例を示すタイミング図である。図５はジョガーフェンスの動作例を示すタイミング図である。ここで、図に示す「再給紙クラッチ」ＯＮは、転写紙２の逆転コロ４と反転たたきコロ３とによる転写紙２の反転開始を意味する。また、「ジョガーフェンス」開閉は、規定幅より僅かな分の方向への移動（開）と、規定幅方向への移動（閉）とを示す。
【００２２】
図４は、本例に係る両面給紙装置の作動タイミングの第１の例を示している。本例では、再給紙の一定時間Ａ［ｍｓ］前に誘導コロ７を有するジョガーフェンス８を閉め、再給紙された転写紙２が搬送ローラ９にくわえこまれる一定時間Ｂ［ｍｓ］後に誘導コロ７を有するジョガーフェンス８を開く。なお一定時間Ａおよび一定時間Ｂは実際の画像形成装置の作動状態により定める量であり、可変とする。
【００２３】
また図５は本例に係る両面給紙装置の作動タイミングの第２の例を示している。この例では、再給紙された転写紙２が搬送ローラ９にくわえこまれる一定時間Ｂ［ｍｓ］後、つまり転写紙２の給紙方向が確定後に誘導コロ７を有するジョガーフェンス８を開き、再給紙のタイミングの一定時間Ｃ［ｍｓ］後に誘導コロ７を有するジョガーフェンス８を閉める。なお、一定時間Ｃ［ｍｓ］の時間長さは、転写紙２の用紙長さに応じて可変とする。
【００２４】
以上説明したように、本実施例によれば以下の効果を奏する。
【００２５】
再給紙の間だけ誘導コロを有するジョガーフェンスを閉じるため、再給紙時にスキュー等の不具合の発生を防ぐことができ、ジョギング動作の動作ロス及び時間ロスを低減することができる。
【００２６】
また、再給紙のタイミングに合わせて、一定時間でジョギング動作を行うため簡単な制御で、再給紙のスキュー等の不具合を防ぐことができる。
【００２７】
さらに、給紙のタイミングと転写紙の用紙長さに応じてジョギング動作を行うため、比較的簡単な制御で、再給紙時のスキュー等の不具合を防ぐことができる。
【００２８】
なお、上述の実施例は本発明の好適な実施の一例であるが、これに限定されるものでなく、本発明の要旨を逸脱しない範囲内において種々変形実施が可能である。
【図面の簡単な説明】
【００２９】
【図１】本発明の実施例に係る両面給紙装置の実施例の動作手順例を示す両面給紙装置の断面図である。
【図２】本発明の実施例に係る両面給紙装置の実施例の動作手順例を示す両面給紙装置の断面図である。
【図３】本発明の実施例に係る両面給紙装置の実施例の動作手順例を示す平面図である。
【図４】本発明の実施例に係る両面給紙装置の動作例を示すタイミング図である。
【図５】本発明の実施例に係る両面給紙装置の動作例を示すタイミング図である。
【符号の説明】
【００３０】
１  反転両面搬入ローラ
２  転写紙
３  反転たたきコロ
４  逆転コロ
５  反転両面排出ローラ
６  分岐爪
７  誘導コロ
８  ジョガーフェンス
９  搬送ローラ
１０  反転両面搬出コロ
１１  反転両面搬送コロ
１３  揺動アーム
１４  回転コロ
１５  軸受
２０  駆動手段
３０  駆動制御手段
【図１】
2005089083.tif 000003
【図２】
2005089083.tif 000004
【図３】
2005089083.tif 000005
【図４】
2005089083.tif 000006
【図５】
2005089083.tif 000007